(57)【特許請求の範囲】
【請求項１】
紫外線を照射する紫外線光源と、
前記紫外線光源の紫外線照射方向に設けられ、前記紫外線の照射のオンオフを切り替えるシャッタと、
前記紫外線光源の加速度を検出する加速度センサと、
前記加速度センサの検出した加速度情報に基づいて、前記紫外線光源の位置情報を取得する位置情報取得部と、
前記位置情報取得部の取得した前記位置情報に基づいて、前記シャッタを操作して前記紫外線の照射のオンオフを制御するシャッタ制御部と、
を備える紫外線照射ユニットにおいて、
前記位置情報取得部は、前記加速度情報に基づいて演算される速度が一定の速度である移動範囲を前記位置情報として取得し、前記シャッタ制御部は、該取得した前記一定の速度である移動範囲内では前記紫外線の照射をオンし、前記一定の速度である移動範囲外では前記紫外線の照射をオフすることを特徴とする紫外線照射ユニット。
【請求項２】
前記紫外線光源および前記シャッタが移動方向および該方向の逆方向の位置の夫々に配置され、前記シャッタ制御部が前記紫外線の照射をオンする場合に、前記加速度情報に基づいて移動方向下流側の前記紫外線の照射をオンすることを特徴とする請求項１に記載の紫外線照射ユニット。
【請求項３】
紫外線硬化型インクが供給されて記録媒体に前記紫外線硬化型インクを吐出する記録ヘッドと、
前記記録媒体に吐出された前記紫外線硬化型インクに紫外線を照射して硬化させる紫外線光源と、
前記紫外線光源の紫外線照射方向に設けられ、前記紫外線の照射のオンオフを切り替えるシャッタと、
前記記録ヘッド及び前記紫外線光源が取付けられ、キャリッジレールに沿って印字領域と非印字領域とを移動するキャリッジと、
前記キャリッジに取付けられ、前記キャリッジの位置を検出するリニアエンコーダと、
前記キャリッジに取付けられ、前記キャリッジの加速度を検出する加速度センサと、
前記加速度センサの検出した加速度情報に基づいて、前記キャリッジの位置情報を取得する位置情報取得部と、
前記位置情報取得部の取得した前記位置情報に基づいて、前記シャッタを操作して前記紫外線の照射のオンオフを制御するシャッタ制御部と、
を備える紫外線硬化型インクジェット印刷ユニットにおいて、
前記記録ヘッドは、前記リニアエンコーダによって検出された前記位置に基づいて前記紫外線硬化型インクを吐出し、
前記位置情報取得部は、前記加速度情報に基づいて演算される速度が一定の速度である移動範囲を前記位置情報として取得し、
前記シャッタ制御部は、該取得した前記一定の速度である移動範囲内では前記紫外線の照射をオンし、前記一定の速度である移動範囲外では前記紫外線の照射をオフにすることを特徴とする紫外線硬化型インクジェット印刷ユニット。
【請求項４】
前記紫外線光源および前記シャッタが前記キャリッジの移動方向および該方向の逆方向の位置の夫々に配置され、前記シャッタ制御部が前記紫外線の照射をオンする場合に、前記加速度情報に基づいて移動方向下流側の前記紫外線の照射をオンすることを特徴とする請求項３に記載の紫外線硬化型インクジェット印刷ユニット。
【請求項５】
請求項１または２に記載の紫外線照射ユニット、又は請求項３または４に記載の紫外線硬化型インクジェット印刷ユニットを備えることを特徴とする紫外線硬化型インクジェットプリンタ。
【発明の詳細な説明】
【技術分野】
【０００１】
本発明は、紫外線照射ユニット、紫外線硬化型インクジェット印刷ユニット、及び紫外線硬化型インクジェットプリンタに関する。
【背景技術】
【０００２】
紫外線硬化型のインクジェットプリンタでは、インクを微小な液滴として紙等の記録媒体に吐出する記録ヘッドとともに、紫外線を照射する紫外線光源がヘッド部（印刷ユニット）のキャリッジに搭載されている。そして、ヘッド部の移動範囲のうち、画像等が印刷される印字領域においては、紫外線光源を点灯させたままキャリッジを移動させ、記録媒体に着弾した直後のインクに紫外線を照射してインクを硬化させる。
【０００３】
通常、インクジェットプリンタにおいては、一定の間隔で、記録ヘッドを印字領域の両脇の非印字領域に移動させ、クリーニング等のメンテナンスを行う。このときに、紫外線光源から紫外線を照射したままでメンテナンスを行うと、紫外線によって、キャッピングユニット等のメンテナンス機構に付着したインクやヘッドに付着したインクを硬化させる。これは、メンテナンス不良を起こしたり、メンテナンス機構を構成する部材等を劣化させたりして、問題となる。
【０００４】
紫外線光源のスイッチをオンオフすると、再点灯に時間がかかるため、従来のインクジェットプリンタにおいては、紫外線光源を点灯させつつ非印字領域において紫外線が照射されることを防ぐために、電気的な制御で開閉する電磁シャッタ等を紫外線光源に取付ける方法が広く行われている。
【０００５】
例えば、特許文献１に記載のインクジェットプリンタでは、記録ヘッドのインクの吐出タイミング制御に使用されているリニアエンコーダを使用し、キャリッジ移動中にリニアエンコーダから出力されるパルス信号を制御回路へ入力し、キャリッジの位置データを取得する。この位置データに基づき、印字領域においてはシャッタを開き、非印字領域においてはシャッタを閉めるように制御を行っている。
【特許文献１】特開２００３−１２７３４７号公報
【発明の開示】
【発明が解決しようとする課題】
【０００６】
しかしながら、特許文献１に記載のインクジェットプリンタでは、リニアエンコーダを用いてキャリッジの位置情報を取得するため、例えば、紫外線硬化型でないインクジェットプリンタを、紫外線硬化型に変更するために、特許文献１の紫外線照射手段を組み込もうとすると、リニアエンコーダと連動させるために既存の印字制御回路を変更する等、多くの工程が必要となり、作業が煩雑となるという問題がある。
【０００７】
本発明は上記事情に鑑みて成されたものであり、リニアエンコーダを用いずに紫外線照射の制御が可能な紫外線照射ユニット、紫外線硬化型インクジェット印刷ユニット、及び紫外線硬化型インクジェットプリンタを提供することを目的とする。
【課題を解決するための手段】
【０００８】
本発明の第１の態様である紫外線照射ユニットは、紫外線を照射する紫外線光源と、前記紫外線光源の紫外線照射方向に設けられ、前記紫外線の照射のオンオフを切り替えるシャッタと、前記紫外線光源の加速度を検出する加速度センサと、前記加速度センサの検出した加速度情報に基づいて、前記紫外線光源の位置情報を取得する位置情報取得部と、前記位置情報取得部の取得した前記位置情報に基づいて、前記シャッタを操作して前記紫外線の照射のオンオフを制御するシャッタ制御部とを備える紫外線照射ユニットにおいて、前記位置情報取得部は、前記加速度情報に基づいて演算される速度が一定の速度である移動範囲を前記位置情報として取得し、前記シャッタ制御部は、該取得した前記一定の速度である移動範囲内では前記紫外線の照射をオンし、前記一定の速度である移動範囲外では前記紫外線の照射をオフすることを特徴とする。
【０００９】
本発明の紫外線照射ユニットによれば、加速度センサが検出した紫外線光源の加速度に基づいて取得された位置情報を利用して、光源が所望の位置にあるときに、シャッタによって紫外線の照射がオン又はオフに制御される。
【００１１】
前記位置情報取得部は、前記加速度センサの加速度情報に基づいて前記紫外線光源の速度を算出し、前記速度が一定の速度である移動範囲を前記位置情報として取得してもよい。この場合、位置情報取得部の処理を軽減することができる。
【００１２】
本発明の第２の態様である紫外線硬化型インクジェット印刷ユニットは、紫外線硬化型インクが供給されて記録媒体に前記紫外線硬化型インクを吐出する記録ヘッドと、前記記録媒体に吐出された前記紫外線硬化型インクに紫外線を照射して硬化させる紫外線光源と、前記紫外線光源の紫外線照射方向に設けられ、前記紫外線の照射のオンオフを切り替えるシャッタと、前記記録ヘッド及び前記紫外線光源が取付けられ、キャリッジレールに沿って印字領域と非印字領域とを移動するキャリッジと、前記キャリッジに取付けられ、前記キャリッジの位置を検出するリニアエンコーダと、前記キャリッジに取付けられ、前記キャリッジの加速度を検出する加速度センサと、前記加速度センサの検出した加速度情報に基づいて、前記キャリッジの位置情報を取得する位置情報取得部と、前記位置情報取得部の取得した前記位置情報に基づいて、前記シャッタを操作して前記紫外線の照射のオンオフを制御するシャッタ制御部とを備える紫外線硬化型インクジェット印刷ユニットにおいて、前記記録ヘッドは、前記リニアエンコーダによって検出された前記位置に基づいて前記紫外線硬化型インクを吐出し、前記位置情報取得部は、前記加速度情報に基づいて演算される速度が一定の速度である移動範囲を前記位置情報として取得し、前記シャッタ制御部は、該取得した前記一定の速度である移動範囲内では前記紫外線の照射をオンし、前記一定の速度である移動範囲外では前記紫外線の照射をオフにすることを特徴とする。
【００１３】
本発明の紫外線硬化型インクジェット印刷ユニットによれば、キャリッジが移動する際に発生する加速度が加速度センサによって加速度情報として検出され、位置情報取得部が、加速度情報に基づいてキャリッジの位置情報を取得する。そして、位置情報に基づいて、キャリッジが印字領域に位置するか非印字領域に位置するかが判断されて、紫外線照射のオンオフ制御が行われる。
【００１５】
前記位置情報取得部は、前記加速度センサの加速度情報に基づいて、前記キャリッジの速度を算出し、前記速度が一定の速度である移動範囲に基づいて、前記キャリッジが前記印字領域及び前記非印字領域のいずれに位置するかの情報を前記位置情報として取得するものでもよい。この場合、位置情報取得部で行う演算が簡素になり、演算過程における誤差の発生を抑えることができる。
【００１６】
本発明の第３の態様である紫外線硬化型インクジェットプリンタは、本発明の紫外線照射ユニット又は紫外線硬化型インクジェット印刷ユニットを備えることを特徴とする。
【発明の効果】
【００１７】
本発明の紫外線照射ユニットによれば、リニアエンコーダを用いずに紫外線照射の制御を行うことができる。
【００１８】
また、本発明の紫外線硬化型インクジェット印刷ユニット及び紫外線硬化型インクジェットプリンタによれば、リニアエンコーダを用いずに、印刷ユニットの加速度に基づいて位置情報が取得され、印刷領域で紫外線を照射することができる。すなわち、紫外線照射の制御を、印刷ユニット独自で行うことができる。
【発明を実施するための最良の形態】
【００１９】
以下、本発明の一実施形態の紫外線硬化型インクジェット印刷ユニット（以下、単に「印刷ユニット」と称する。）及び紫外線硬化型インクジェットプリンタ（以下、単に「インクジェットプリンタ」と称する。）について、図１から図７を参照して説明する。
【００２０】
図１は本実施形態の印刷ユニット１を備えるインクジェットプリンタ２の構成を示す図である。インクジェットプリンタ２はワイドフォーマットのプリンタであって、印字作業を行う印刷ユニット１と、印刷ユニット１の移動を行うヘッド搬送部３と、印刷ユニット１にインクを供給するインク供給部４と、印刷ユニット１に搭載された記録ヘッド９のクリーニングを行うワイピング部５と、記録ヘッド９のメンテナンスを行うキャッピング部６と、印字が行われる用紙を搬送する用紙搬送部７と、各機構を支持する脚部８とを備えて構成されている。
【００２１】
図２は、印刷ユニット１及びヘッド搬送部３の拡大図である。印刷ユニット１は、インクが吐出される複数の記録ヘッド９と、記録ヘッド９から吐出されるインクを紫外線によって硬化させる紫外線照射部１０と、記録ヘッド９及び紫外線照射部１０が取付けられたキャリッジ１１とを有している。
【００２２】
各々の記録ヘッド９は、それぞれ異なる色のインクに対応しており、本実施形態では６つの記録ヘッド９がキャリッジ１１に取り付けられている。記録ヘッド９は、多数の微小ノズルが開口するノズル面９Ａが下方に向けられた状態で配置されており、キャリッジ１１とともにヘッド搬送部３に沿って移動しながら、用紙搬送部７側の用紙に向かってインクの液滴を吐出して印字作業を行う。
【００２３】
紫外線照射部１０は、紫外線を照射する紫外線光源１２と、紫外線光源１２から照射される紫外線を遮断するシャッタ１３と、シャッタを開閉する開閉機構１４とから構成されており、記録ヘッド９を挟んで、キャリッジ１１の移動方向の両端に取付けられている。
【００２４】
シャッタ１３は、紫外線光源１２の前方（紫外線照射方向）に、退避可能に取付けられており、開閉機構１４によって、紫外線光源１２の前方の遮断及び前方から退避されることによって、紫外線照射のオンオフを切り替える。シャッタ１３の形状は特に限定されず、任意の方式のものを採用することができる。
【００２５】
キャリッジ１１には、記録ヘッド９からのインク吐出を制御する印字制御回路１５と、シャッタ１３の開閉、すなわち紫外線照射のオンオフを制御するシャッタ制御部１６と、キャリッジ１１の加速度を検知する加速度センサ１７とが設けられている。
【００２６】
図３は、キャリッジ１１内の各機構のつながりを示すブロック図である。キャリッジ1内には、加速度センサ１７から出力される電圧データを数値データに変換するＡ／Ｄ変換回路１８と、Ａ／Ｄ変換回路１８で変換された数値データに基づいてキャリッジの位置情報を取得する中央処理装置（位置情報取得部。以下、「ＣＰＵ」と称する。）１９とがさらに設けられている。
【００２７】
ＣＰＵ１９は印字制御回路１５及びシャッタ制御部１６と接続されている。印字制御回路１５は各々の記録ヘッド９と接続されており、シャッタ制御部１６は、紫外線照射部１０の左右の開閉機構１４Ａ及び１４Ｂと接続されている。
【００２８】
ヘッド搬送部３は、図１及び図２に示すように、キャリッジ１１が移動するキャリッジレール２０と、キャリッジレール２０に沿って設けられたリニアエンコーダ２１と、キャリッジ１１をキャリッジレール２０に沿って移動させる移動機構２２とを備えて構成されている。
【００２９】
キャリッジレール２０は、左右にわたって設けられている。その両端付近にはワイピング部５及びキャッピング６が配置されており、印刷ユニット１のメンテナンス等が行われる非印字領域Ｒ１となっている。そして、中間部分は、用紙搬送部７によって用紙（記録媒体）が搬送されて、記録ヘッド９による印字が行われる印字領域Ｒ２となっている。
【００３０】
リニアエンコーダ２１はキャリッジ１１に取付けられており、キャリッジレール２０上を移動するキャリッジ１１の位置情報として利用される位置データを出力する。この位置データは、印字制御回路１５において、記録ヘッド９からのインク吐出タイミングの制御に利用される。
【００３１】
移動機構２２としては、特に制限はなく、モータ等の公知の機構を採用することができる。
【００３２】
図１に戻って、インク供給部４は、交換可能なインクカートリッジ２３と複数のインクチューブ２４とから構成されている。インクカートリッジ２３には、６色の紫外線硬化型インクが充填されており、それぞれがインクチューブ２４を介して対応する記録ヘッド９のノズルに供給される。
【００３３】
ワイピング部５は、キャリッジレール２０の一方の端部側に設けられており、記録ヘッド９のノズル面の拭き取り清掃を行うブレード部２５と、ブレード部２５の洗浄を行うクリーニング部２６とを備えて構成されている。ブレード部２５は、拭き取り清掃後にクリーニング部２６に移動し、付着したインク等の汚れが、クリーニング部２６において洗浄される。
【００３４】
キャッピング部６は、キャリッジレール２０のワイピング部５と反対側の端部側に設けられており、各々の記録ヘッド９に着脱自在に密着してノズル面９Ａを密封する複数のキャップ２７と、記録ヘッド９のノズル内から気泡やインクを吸引するための吸引ポンプ２８とを備えている。
【００３５】
キャップ２７は、ノズルから吸引したインクの受け皿となるほか、インクジェットプリンタ２が使用されないときに記録ヘッド９に密着してノズル面９Ａの乾燥を防ぐ。
【００３６】
吸引ポンプ２８は、ノズル内部から古いインクや微小な気泡等を吸引することによって印刷ユニット１のメンテナンスを行い、ノズルのメニスカスを整えて印刷ユニット１による印字を安定させる。吸引ポンプ２８によって吸引されたインク等は、下方に設けられた廃液ボトル２９に貯留される。
【００３７】
用紙搬送部７は、用紙を送るピンチローラー及びグリッドローラー等からなるローラー部３０、ローラー部３０を回転させるモータ等の回転機構３１、及び用紙を支持するプラテン３２を備えた公知の構成となっている。
【００３８】
上記のように構成されたインクジェットプリンタ２における印刷ユニット１の動作について、以下に説明する。
【００３９】
まず、インクジェットプリンタ２を起動すると、印刷ユニット１は、自動的にキャッピング部６と対向する位置（以下、「ホームポジション」と称する。）に移動する。ホームポジションに移動後、キャリッジ１１内の加速度センサ１７が、キャリッジ１１の加速度の検知を開始する。
【００４０】
なお、ホームポジションはキャッピング部６でなく、任意の位置に設けられてよい。
【００４１】
加速度センサ１７は、キャリッジ１１の加速度を電圧に変換して出力する。加速度センサ１７から電圧を受け取ったＡ／Ｄ変換回路１８は、キャリッジ１１がワイピング部５に向かって移動する際の加速度を正、キャッピング部６に向かって移動する際の加速度を負として、数値からなる加速度データ（加速度情報）に変換する。変換後の加速度データは、ＣＰＵ１９に送られる。
【００４２】
ＣＰＵ１９では、加速度データを２乗積分して移動距離を算出し、ホームポジションと当該移動距離とに基づいて、キャリッジ１１のキャリッジレール２０上における位置を算出して、位置情報として取得する。このようにして、インクジェットプリンタ２の動作中、ＣＰＵ１９は常時キャリッジ１１の位置情報を取得し続ける。加速度データ及び位置情報は、随時シャッタ制御部１６に送られる。
【００４３】
なお、必要に応じて、加速度データの補正テーブルを予めＣＰＵ１９又はＲＯＭ等の記憶装置に格納しておき、Ａ／Ｄ変換回路１８から送られた加速度データを適宜補正しながら位置情報の取得が行われるように構成されてもよい。このようにすると、算出される移動距離及び位置情報の計算誤差の発生をより少なくすることができる。
【００４４】
図４に示すように、印刷ユニット１がホームポジションからワイピング部５に向かって移動しながら印字を行う際は、リニアエンコーダ２１の情報に基づく印字制御回路１５の制御を受けながら、記録ヘッド９から紫外線硬化型インクが用紙Ｐに向かって吐出される。
【００４５】
このとき、加速度データの値が正であり、かつ位置情報からキャリッジ１１が印字領域Ｒ２に位置すると判断されたときは、シャッタ制御部１６は、図４における左側の開閉機構１４Ａを介してシャッタ１３Ａを開き、紫外線光源１２Ａより用紙Ｐに向かって紫外線を照射させる。これによって、用紙Ｐに着弾した直後のインクに紫外線が照射されて硬化される。
【００４６】
なお、加速度データの値が正のときは、右側の開閉機構１４Ｂは動作せず、紫外線光源１２Ｂからは紫外線は照射されない。
【００４７】
図５に示すように、キャリッジ１１がワイピング部と対向する位置まで移動し、印刷ユニット１が非印字領域Ｒ１に移動すると、シャッタ制御部１６は位置情報に基づいて、開閉機構１４Ａを介してシャッタ１３Ａを閉じ、紫外線光源１２Ａから照射される紫外線を遮断する。これによって、ワイピング部５や用紙Ｐに必要以上に紫外線が照射されることが防止される。
【００４８】
図６に示すように、印刷ユニット１がワイピング部５からホームポジションに向かって移動しながら印字を行う際には、加速度データの値が負であり、かつ位置情報からキャリッジ１１が印字領域Ｒ２に位置すると判断されたときに、シャッタ制御部１６が右側の開閉機構１４Ｂを介してシャッタ１３Ｂを開き、紫外線光源１２Ｂより用紙Ｐに向かって紫外線を照射させる。
【００４９】
なお、加速度データの値が負のときは、左側の開閉機構１４Ａは動作せず、シャッタ１３Ａは閉じたままとなる。
【００５０】
図７に示すように、キャリッジ１１がホームポジション付近まで移動し、印刷ユニット１が非印字領域Ｒ１に移動すると、シャッタ制御部１６は位置情報に基づいて、開閉機構１４Ｂを介してシャッタ１３Ｂを閉じ、紫外線光源１２Ｂから照射される紫外線を遮断する。
【００５１】
本実施形態の印刷ユニットによれば、加速度センサ１７で検出されたキャリッジ１１の加速度に基づいて、ＣＰＵ１９によってキャリッジ１１の位置情報が取得され、シャッタ制御部１６が、加速度及び位置情報に基づいて、紫外線照射部１０の開閉機構１４を介してシャッタ１３を開閉して紫外線照射のオンオフを制御する。
【００５２】
したがって、ワイピング部５等のメンテナンス機構や用紙Ｐに不必要に紫外線が照射されることが防止され、メンテナンス機構等の劣化を防ぐことができる。
【００５３】
また、リニアエンコーダ２１の出力値を必要とせずにキャリッジ１１の位置情報が取得されるので、シャッタ制御部１６とリニアエンコーダ２１とを連動させる必要がなく、容易に既存のインクジェットプリンタに組み込んで紫外線光源のシャッタを動作させることができる印刷ユニットを構成することができる。
【００５４】
さらに、加速度データの正負によって、キャリッジ１１の位置に加えて移動方向の情報も取得することができるので、当該情報に基づいて、左右の紫外線照射部のシャッタ１３Ａ及び１３Ｂを適切に制御することができる。
【００５５】
なお、キャリッジ１１が印字領域Ｒ２において等速で移動する場合は、キャリッジ１１が印字領域Ｒ２に移動する直前の加速度データの正負によって左右いずれのシャッタ１３を開くか判断するように構成すればよい。
【００５６】
加えて、加速度センサ１７が常にキャリッジ１１の加速度をモニターしているので、用紙が折れ曲がる等の異常な状態で用紙搬送部７に存在し、印刷ユニット１と用紙とが衝突した場合等に、その際に生じる異常な加速度を加速度センサ１７によって検知して、シャッタ１３を閉じるように印刷ユニット１を構成することができる。
【００５７】
以上、本発明の一実施形態について説明したが、本発明の技術範囲は上記実施の形態に限定されるものではなく、本発明の趣旨を逸脱しない範囲において種々の変更を加えることが可能である。
【００５８】
例えば、上記実施形態においては、ＣＰＵ１９が、加速度センサ１７の検知した加速度を２乗積分して位置情報を取得する例を説明したが、位置情報の取得態様はこれに限定されない。図８を参照して以下に一例を示す。
【００５９】
図８は、本発明の変形例のインクジェットプリンタにおける、ホームポジションからの印刷ユニット１の距離と印刷ユニット１の速度ｖとの関係を示すグラフである。図８に示すように、印刷ユニット１は、印字領域Ｒ２において、速度ｖ１で等速に移動するように設定されている。
【００６０】
ＣＰＵ１９は加速度センサ１７から受け取った加速度データを積分して印刷ユニット１の速度を算出し、当該速度及び加速度データをシャッタ制御部１６に送信する。シャッタ制御部１６は、印刷ユニット１（あるいはキャリッジ１１）の速度がｖ１であり、かつ加速度が０の時に、印刷ユニット１が印字領域Ｒ２にあると判断し、シャッタ１３を開くように開閉機構１４を制御する。すなわち、本変形例においては、ＣＰＵ１９とシャッタ制御部１６とが、協働して位置情報取得部として機能する。
【００６１】
このようにすると、加速度データを２乗積分する必要がなくなるので、計算における誤差の幅が小さくなるとともに、ＣＰＵ１９の処理量を軽減することができる。なお、上記の変形例においては、速度のみをモニターし、当該速度を位置情報として使用することによって、印刷ユニット１が印字領域Ｒ２にあるか否かをＣＰＵ１９が判断するように構成することも可能である。
【００６２】
また、上記実施形態では、加速度センサが出力した電圧値がＡ／Ｄ変換回路で数値データに変換される例を説明したが、これに代えて、電圧値を数値データに変換して出力可能な加速度センサを用いれば、Ａ／Ｄ変換回路を設けなくてもよい。
【００６３】
さらに、本実施形態では、シャッタ制御部１６、加速度センサ１７、ＣＰＵ１９等が印刷ユニットの内部に組み込まれた例を説明したが、これに代えて、紫外線照射部１０の各機構と、シャッタ制御部１６、加速度センサ１７、ＣＰＵ１９とから紫外線照射ユニットが構成されてもよい。このようにすると、通常の印刷ユニットの外部に取り付けることによって容易に紫外線硬化型の印刷ユニットに変更することができる。
【００６４】
また、インクジェットプリンタに、印刷ユニットとは別に紫外線照射ユニット専用のキャリッジを設け、印刷ユニットと別の動作をさせてもよい。例えば、印刷ユニットがインクの吐出作業を数往復行った後に、当該吐出領域に一往復でまとめて紫外線を照射することによって、熱に弱い記録媒体を保護しつつ印刷を行うといったことも可能である。
【図面の簡単な説明】
【００６５】
【図１】本発明の一実施形態の印刷ユニットを備えるインクジェットプリンタの構成を示す図である。
【図２】同インクジェットプリンタの印刷ユニット及びヘッド搬送部を示す拡大図である。
【図３】同印刷ユニットの各部のつながりを示すブロック図である。
【図４】同印刷ユニットの使用時の動作を示す図である。
【図５】同印刷ユニットの使用時の動作を示す図である。
【図６】同印刷ユニットの使用時の動作を示す図である。
【図７】同印刷ユニットの使用時の動作を示す図である。
【図８】本発明の変形例における印刷ユニットの、インクジェットプリンタ内における移動態様を示すグラフである。
【符号の説明】
【００６６】
１  紫外線硬化型インクジェット印刷ユニット
２  紫外線硬化型インクジェットプリンタ
９  記録ヘッド
１１  キャリッジ
１２、１２Ａ、１２Ｂ  紫外線光源
１３、１３Ａ、１３Ｂ  シャッタ
１６  シャッタ制御部
１７  加速度センサ
１９  中央処理装置（位置情報取得部）
２０  キャリッジレール
Ｒ１  非印字領域
Ｒ２  印字領域
【図１】
0005147386.tif 000002
【図２】
0005147386.tif 000003
【図３】
0005147386.tif 000004
【図４】
0005147386.tif 000005
【図５】
0005147386.tif 000006
【図６】
0005147386.tif 000007
【図７】
0005147386.tif 000008
【図８】
0005147386.tif 000009